(57)【要約】【課題】環境に優しい素材を使用したカードスタンドを、使用者の誰でもがワンタッチの操作で、安定した自立状態に組み立てることができるようにする。【解決手段】表示窓（１ａ）を備える長方形の正面部（１）と、背面部（２）と、第１衝立部（３）と、第２衝立部（４）とからなり、第１衝立部（３）と第２衝立部（４）は、折畳み状態では、支持片（４ｃ）とそれに続く一対のスリット（４ａ、４ｂ）に挟まれる部分の一部が支持片挿入孔（３ｃ）を外側から内側に貫通して第１衝立部（３）に重なり、組立て状態では、支持片（４ｃ）のみが支持片挿入孔（３ｃ）を貫通し折れ曲がって第１衝立部（３）の内側に重なり、第２衝立部（４）の一対のスリット（４ａ、４ｂ）の左右の先端部付近が第１衝立部（３）の折り目（３ａ、３ｂ）によって折曲げられた先端部の内側に重なるよう形成する。【選択図】図１
2006035577.tif 000002
【特許請求の範囲】
【請求項１】
一枚のシートを折畳むことによってカード類の収納スペースが形成される卓上カードスタンドであって、
前記収納スペースに挿入されたカード類の表示面が見えるよう切除された表示窓を備える長方形の正面部と、
前記正面部の長方形の一つの辺を外側に延長して形成し、折り返して前記収納スペースの後側の大半を覆うための背面部と、
前記長方形の一つの辺に隣接する一方の辺を外側に延長して下底が前記正面部側になる姿勢の略台形に形成し、前記下底から所定の距離を隔てて前記一方の辺に平行に切除した支持片挿入孔と、前記支持片挿入孔の左右からそれぞれ前記一方の辺に平行に前記台形の斜辺に至る折り目を設けた第１衝立部と、
前記長方形の一つの辺に隣接する他方の辺を外側に延長して下底が前記正面部側になる姿勢の略台形に形成し、その台形の上底の端部の２箇所から前記一つの辺に平行に所定の長さで切除した一対のスリットと、前記一対のスリットに挟まれる部分を外側に延長して前記支持片挿入孔に挿入可能な支持片を設けた第２衝立部と、
を含み、
前記第１衝立部と前記第２衝立部は、折畳み状態では、前記支持片とそれに続く前記一対のスリットに挟まれる部分の一部が前記支持片挿入孔を外側から内側に貫通して前記第１衝立部に重なり、組立て状態では、前記支持片のみが前記支持片挿入孔を貫通し折れ曲がって前記第１衝立部の内側に重なり、前記第２衝立部の前記一対のスリットの左右の部分の先端部付近が前記第１衝立部の折り目によって折曲げられた先端部分の内側に重なるよう形成されている卓上カードスタンド。
【請求項２】
請求項１に記載の卓上カードスタンドにおいて、
前記第１衝立部は、前記支持片挿入孔の両端部からそれぞれ外側でかつ前記正面部側の斜め方向に短い切れ目を設け、
前記第２衝立部は、前記支持片の幅を前記一対のスリットの間隔より広くして、前記支持片と前記一対のスリットに挟まれた部分との間に幅の段差を設けた、
ことを特徴とする卓上カードスタンド。
【発明の詳細な説明】
【技術分野】
【０００１】
本発明は、フォトカードや卓上カレンダーなどのカード類を机や飾り棚などの上に見やすい角度に立てて載せるための卓上カードスタンドに関するものである。
【背景技術】
【０００２】
一般に、この種のカードスタンドは、流通機構等での保管、運搬を経て、使用者に提供されるが、カードを自立させるための衝立脚の組立ては、使用者の手によって行われるのが殆どであり、この作業は誰でも簡単に行えることが必須条件となっている。
また、最近になって環境問題に注目が集まり、不要となった場合の破棄処分が簡単に行えるものが良いとされ、紙や段ボールの素材を使用するものが増える傾向にある。
従来技術の中で、環境に配慮し、かつ製造が容易でコストが安いものとして、例えば「カード型卓上カレンダー用ホルダー」（特許文献１）や「卓上カレンダー」（特許文献２）などがある。
【０００３】
特許文献１の提案は、段ボールからなる一枚の構成体を折り曲げて組み立てることにより、カード収納部と衝立部とが形成され、ホルダーの構成体は、四辺形状の枠部の外側に、枠部を挟んで対向する一対の側面部と裏板部、及び一対の側面部と衝立板部を連続して設け、折り返した裏板部同士を、枠部に対面させて係止し、折り返した衝立板部同士を、カード収納部との間に略三角柱状の空間を形成するように係止して、自立させるものである。
【０００４】
特許文献２の提案は、カレンダーを後傾状態に支持するための支持体を、窓を備えた正面板と、その周辺に連続して、カレンダーの厚みに応じた幅の保形片を介して配置した保形板、上背面板、及び下背面板、とで構成し、組み立て状態では、保形板は、正面板と相対してカレンダーの後面を支持し、上背面板および下背面板は背部側に開き、上背面板と下背面板を相互に着脱可能に係止して後傾状態に自立させるものである。
【０００５】
特許文献１、及び特許文献２のいずれの場合でも、紙あるいは段ボールを素材とする一枚のシートによる構成であるため、不要品の廃棄処理が容易で環境に優しく、コストも安いので、これらの点についての問題はない。
しかし、特許文献１の場合は、保管や運搬に便利な展開状態や折畳み状態から、使用時の組立て状態への移行、及びその逆の作業については、誰でも素早く簡単に行えないという不便さがある。
しかも、保管、あるいは輸送中の折畳み状態では、衝立板部同士の係止、上背面板と下背面板の係止は行われていないで、ただ、枠部あるいは正面板の裏側に重ねられているだけであるので、流通機構などから受け取った使用者が、カードを自立させるための係止作業を行わなければならない。
【０００６】
特許文献２の場合は、組立て状態では、上背面板に設けられた横長の係止孔に、これに対応する下背面板の上辺側に張り出すようにして形成された係止片を係止させて上背面板と下背面板を係合させている。係止孔には、係止片の幅狭とした首部のみを半固定させることのできる段部が設けられており、係止孔に係止片を挿入してから首部を段部に嵌めて、互いに係止する。
また、係止孔が設けられている上背面板には、係止孔の両端に連続するようにして入れたスリットにより切り込み形成された押圧片があって、この押圧片が、係止孔に挿入された係止片に弾性的に当接してその係止状態を維持するようにしている。
この押圧片は、上下方向に或る程度の長さを有し、係止片を差し入れる際には保形板側に湾曲させて係止片自体の挿入が簡単に行なえるようにしてあるが、押圧片を保形板側に重ね係止片を外方に向けた入れ子状態で、上背面板と下背面板とを重ね合わせできるようにするために、押圧片の両側の縦スリット部分を長くしてある。したがって、上背面板と下背面板を引き起こして係合状態とするには都合がよいが、縦スリットを長くしたために組立て時の押圧片の適正な姿勢が取り難くなることがある。とくに脚組立て直後に、上背面板と下背面板の係合状態とともに、押圧片の先端が正常な位置にあるか否かの確認が必要となるなど、素材が紙であるがために、組み立てて卓上に置く形にしたときの衝立脚の組み合わせに不安定さを感じる。
【０００７】
ところが、これらのカレンダーやホルダーは、宣伝広告用や、顧客へのサービス用として提供されることが多く、最近では、体裁の良さや、自立させるときの操作の易しさ、組立て後の安定感などの一寸した評判が、物品提供効果を大きく左右するという点が注目されつつある。
そこで、この問題を構造的に解決するためには、特許文献２の場合においても、前記縦スリットに必要な長さを２分した短い長さのスリットを、前記上背面板と下背面板に相当する部分に分散して設け、衝立脚の強度低下を抑制するか、前記上背面板と下背面板の結合部分を何らかの方法で強化する必要がある。
【特許文献１】特開２０００−３１８３４８号公報
【特許文献２】特開２００１−２６０５６７号公報
【発明の開示】
【発明が解決しようとする課題】
【０００８】
本発明の課題は、このような観点に基づき、環境に優しい紙などを素材として利用できる構成で、特に折畳み状態からワンタッチで組立てられるようにし、また組立て状態で安定した姿勢が常に得られるようにして、使用者に喜ばれるような、卓上カードスタンドを提供することである。
【課題を解決するための手段】
【０００９】
前記課題を解決するために、請求項１の発明は、一枚のシートを折畳むことによってカード類の収納スペースが形成される卓上カードスタンドであって、前記収納スペースに挿入されたカード類の表示面が見えるよう切除された表示窓（１ａ）を備える長方形の正面部（１）と、前記正面部（１）の長方形の一つの辺を外側に延長して形成し、折り返して前記収納スペースの後側の大半を覆うための背面部（２）と、前記長方形の一つの辺に隣接する一方の辺を外側に延長して下底が前記正面部（１）側になる姿勢の略台形に形成し、前記下底から所定の距離を隔てて前記一方の辺に平行に切除した支持片挿入孔（３ｃ）と、前記支持片挿入孔（３ｃ）の左右からそれぞれ前記一方の辺に平行に前記台形の斜辺に至る折り目（３ａ、３ｂ）を設けた第１衝立部（３）と、前記長方形の一つの辺に隣接する他方の辺を外側に延長して下底が前記正面部（１）側になる姿勢の略台形に形成し、その台形の上底の端部の２箇所から前記一つの辺に平行に所定の長さで切除した一対のスリット（４ａ、４ｂ）と、前記一対のスリット（４ａ、４ｂ）に挟まれる部分を外側に延長して前記支持片挿入孔（３ｃ）に挿入可能な支持片（４ｃ）を設けた第２衝立部（４）と、を含み、前記第１衝立部（３）と前記第２衝立部（４）は、折畳み状態では、前記支持片（４ｃ）とそれに続く前記一対のスリット（４ａ、４ｂ）に挟まれる部分の一部が前記支持片挿入孔（３ｃ）を外側から内側に貫通して前記第１衝立部（３）に重なり、組立て状態では、前記支持片（４ｃ）のみが前記支持片挿入孔（３ｃ）を貫通し折れ曲がって前記第１衝立部（３）の内側に重なり、前記第２衝立部（４）の前記一対のスリット（４ａ、４ｂ）の左右の部分の先端部付近が前記第１衝立部（３）の折り目（３ａ、３ｂ）によって折曲げられた先端部分の内側に重なるよう形成されている卓上カードスタンドである。
請求項２の発明は、請求項１に記載の卓上カードスタンドにおいて、前記第１衝立部（３）は、前記支持片挿入孔（３ｃ）の両端部からそれぞれ外側でかつ前記正面部（１）側の斜め方向に短い切れ目（３ｇ、３ｈ）を設け、前記第２衝立部（４）は、前記支持片（４ｃ）の幅を前記一対のスリット（４ａ、４ｂ）の間隔より広くして、前記支持片（４ｃ）と前記一対のスリット（４ａ、４ｂ）に挟まれた部分との間に幅の段差を設けた、ことを特徴とする卓上カードスタンドである。
【発明の効果】
【００１０】
以上説明したように、本発明によれば、以下のような効果がある。
（１）正面部の長方形の一つの辺を延長して背面部を形成し、前記一つの辺に隣接する一方の辺を延長し下底を正面部側にして略台形の第１衝立部を形成し、一つの辺に隣接する他方の辺を延長し下底を正面部側にして略台形の第２衝立部を形成し、第１衝立部に、その台形の下底から所定の距離を隔てて前記一方の辺に平行に切除した支持片挿入孔と、その支持片挿入孔の左右からそれぞれ一方の辺に平行に台形の斜辺に至る折り目を設け、第２衝立部に、その台形の上底の端部の２箇所から前記一つの辺に平行に切除した一対のスリットと、一対のスリットに挟まれる部分を外側に延長した支持片挿入孔に挿入する支持片を設け、折畳み状態では、支持片とそれに続く一対のスリットに挟まれる部分の一部が支持片挿入孔を外側から内側に貫通して第１衝立部に重なり、組立て状態では、支持片のみが支持片挿入孔を貫通して第１衝立部の内側に重なり、第２衝立部の一対のスリットの左右の部分の先端部付近が第１衝立部の折り目によって折曲げられた先端部分の内側に重なるよう形成されているので、折畳み状態から脚組立て状態への移行がスムーズに、ワンタッチででき、しかも組立て状態では、正面部の背後に突き出た第１衝立部と第２衝立部の結合部の一部同士が重なっているので、組み立てた姿勢は容易には型崩れしない。
（２）さらに、第１衝立部は、支持片挿入孔の両端部から斜め方向の短い切れ目を設け、第２衝立部は、支持片の幅を一対のスリットの間隔より広くしてあるので、一旦支持片挿入孔に挿入された支持片は容易には抜けて外れることはない。
【発明を実施するための最良の形態】
【００１１】
本発明は、環境に優しい紙などを素材として利用できる卓上カードスタンドを、折畳み状態からワンタッチで組立てられるようにするだけでなく、組み立て時の姿勢を安定に保てるようにするという目的を、正面部と、背面部と、二つの衝立部で構成し、第１衝立部に支持片挿入孔と、その支持片挿入孔の左右に延びる折り目を設け、第２衝立部に一対のスリットと、その一対のスリットに挟まれる部分を外側に延長して形成した支持片を設け、折畳み状態では、支持片と一対のスリットに挟まれる部分の一部が支持片挿入孔を外側から内側に貫通して第１衝立部に重なり、組立て状態では、支持片のみが支持片挿入孔を貫通して第１衝立部の内側に重なり、一対のスリットの外側の左右の先端部が第１衝立部の先端の折曲げられた部分に内側から重なるよう形成することによって実現する。
【実施例１】
【００１２】
以下、図面等を参照して、本発明の実施例をあげて、さらに詳しく説明する。
図１は、本発明による卓上カードスタンドの実施例１を展開した状態で示す平面図である。
図２は、図１の卓上カードスタンドを折畳み、正面部を垂直にして、裏側から見た状態を示す斜視図である。
図３は、図１の卓上カードスタンドを組立て、卓上などに載せる姿勢にして裏側から見た状態を示す斜視図である。
【００１３】
図１の展開図に示すように、正面部１は長方形で、挿入するカード類の表示面が見えるように表示窓１ａが設けられている。
実施例１では、正面部１を横長の状態として、その長方形の下側の辺を延長し、収納するカード類の厚さに応じた幅の側面部２ｓを介して、その先に連続して、概ね長方形の背面部２が設けられている。
背面部２は、折畳み状態、および組立て状態では、側面部２ｓの左右の折り目２ｅ、２ｆで山折りにされて、カード類収納スペース後側の大半を覆う。
折り目２ｅは、正面部１の長方形の一つの辺の位置に設けられている。
側面部２ｓの幅は、収納すべきカード類の厚さに応じて決められる。他の側面部３ｓ、４ｓについても同様である。
背面部２には、カード類の出し入れの便利さを考慮して、裏面から指先が触れやすいように、切り欠いて凹ませた部分２ａが設けられている。
【００１４】
第１衝立部３は、正面部１の長方形の対向する一方の辺（図１では右側の辺）を延長し、側面部３ｓを介して、概ね台形に形成されている。その台形の下底は、側面部３ｓに接している。
第１衝立部３は、組立て状態では、側面部３ｓの上下の折り目３ｅ、３ｆで山折りにされて脚の主要な一部となる。折り目３ｅは、前記長方形の一方の辺の位置に設けられている。
【００１５】
また、第１衝立部３には、折り目３ａ、３ｂと、支持片挿入孔３ｃが設けられている。
折り目３ａ、３ｂは、第１衝立部３の台形の下底から所定の距離を隔てて下底に平行に設けられている。
支持片挿入孔３ｃは、折り目３ａ、３ｂの間にあって折り目と一直線になり、扁平な台形の細い孔として切除されている。
この支持片挿入孔３ｃの台形の左右の斜辺を下底側に延長にした場所に、それぞれ短く先の曲がった切れ込み線３ｇ、３ｈが設けられている。
なお、支持片挿入孔３ｃの台形の下底の中央部をさらに半円状に切除して設けた切り欠き３ｄは、折畳み状態から組立て状態に、あるいは逆の操作をする場合に、この部分に指や爪を引っ掛けやすくするために設けたものである。
【００１６】
第２衝立部４は、正面部１の長方形の対向する他方の辺（図１では第１衝立部３に対向する辺で左側の辺）を延長し、側面部４ｓを介して、概ね台形に形成されている。その台形の下底は側面部４ｓに接している。
第２衝立部４は、組立て状態では、側面部４ｓの左右の折り目４ｆ、４ｅで山折りにされて脚の他の主要な一部となる。
折り目４ｅは、前記長方形の一対の他方の辺の位置に設けられている。
【００１７】
第２衝立部４には、一対のスリット４ａ、４ｂと、スリット４ａ、４ｂに挟まれている部分を外側に延長して形成した支持片４ｃが設けられている。
スリット４ａ、４ｂは、第２衝立部４の台形の上底の中央を挟んで両側に対称な２箇所を起点とする切れ込みである。スリット４ａ、４ｂの切れ込み方向は、正面部１の前記一つの辺（折り目２ｅ）に平行である。
スリット４ａ、４ｂの長さは等しく、衝立脚を折畳んだ状態で、切れ込みの先端が第１衝立部３の先端の位置より第２衝立部４の台形の下底寄りになるようにしてある。
【００１８】
支持片４ｃは、略台形で、その台形の下底が、スリット４ａ、４ｂに挟まれている部分に接している。
支持片４ｃの台形の下底の長さは、スリット４ａと４ｂの間隔より長い。したがって、支持片４ｃの台形の下底の両端から括れてスリット４ａと４ｂのそれぞれの起点に続いているので、この部分には顎状の段差がある。
この段差を設けたのは、支持片４ｃを第１衝立部３の支持片挿入孔３ｃに一旦挿入した後に、一寸した外力で抜け出ないようにするためである。
【００１９】
第１衝立部３と第２衝立部４は、衝立脚の折畳み状態では、図２に示すように、支持片４ｃとそれに続くスリット４ａ、４ｂに挟まれる部分の一部が、支持片挿入孔３ｃを外側から内側に貫通して第１衝立部３の内側に重なる。
衝立脚の組立て状態では、図３に示すように、支持片４ｃのみが支持片挿入孔３ｃを貫通し折れ曲がって第１衝立部３の内側に重なり、第２衝立部４のスリット４ａ、４ｂの左右の部分（外側の部分）の先端部付近が第１衝立部３の折り目３ａ、３ｂによって折曲げられた先端部分の内側に重なる。
【００２０】
図４及び図５は、実施例１のカードスタンドの図１の状態から図２の状態にする途中経過を示す斜視図である。
図４は、図１に示す展開されたシートを、各折り目２ｅ、２ｆ、３ｅ、３ｆ、４ｅ、４ｆの位置で山折りとし、裏返しにして折り返した背面部２を、正面部１の裏面に対向させた状態を示している。
図５は、図４の状態から、第２衝立部４の支持片４ｃを、第１衝立部３の支持片挿入孔３ｃに挿入しようとしているところを示している。
【００２１】
図１の展開された状態から図２の折畳み状態に移行させる場合は、図４、図５の状態を経て、第２衝立部４の支持片４ｃ全体を第１衝立部３の支持片挿入孔３ｃ挿入した後、この付近を正面部１側に押せばよい。
図６は、図５の状態の支持片４ｃと支持片挿入孔３ｃ、及びスリット４ａ、４ｂの外側の第２衝立部の部分との関係を示す部分拡大断面図である。
図６は、図５において、正面部１の長手方向の中心線、及びｘ−ｙ軸を含む平面で切断して示したものである。
以上の操作により、スリット４ａ、４ｂの外側の部分は、第１衝立部３の内側にスライドして入り込み、第１衝立部３及び第２衝立部４が、同時に正面部１に平行となり、カードスタンドは図２に示すように折畳み状態となる。
【００２２】
図２の折畳み状態から図３に示す組立て状態に移行させる場合は、支持片挿入孔３ｃ付近の第１衝立部３の部分に指または爪をかけて引き起こせば、スリット３ｃに挿入されていたスリット４ａ、４ｂに挟まれる部分が引き出され、カードスタンドの素材の弾性によって、スリット４ａ、４ｂの外側の部分もスライドし、第２衝立部４も同時に引き起こされ図３に示す状態となる。
図７は、この状態を図６に準じて示した断面図である。
引き起こされた第１衝立部３と第２衝立部４は、図７に示すように、第１衝立部３の先端部の折れ曲がった部分が、第２衝立部４のスリット４ａ、４ｂに挟まれた部分と、その外側の部分によって内外の両側から支持され、支持片４ｃは、スリット４ａ、４ｂの先端で、第１衝立部３の先端の折れ曲がり部の内側に押し付けられるので、相互に姿勢を規制しあって、確実にその状態を維持する。
【００２３】
実施例１のカードスタンドの自立できる姿勢は、図３に示すような正面部１を横長にした状態のほかに、この状態から左右のどちらかに９０度回転させて縦長の状態で置いても良い。したがって、一つのカードスタンドで２〜３の姿勢の異なる展示方法を選択することができる。
図３の組立て状態から図２の折畳み状態にするには、正面部１を下にして置き、第１衝立部３と第２衝立部４の結合部付近を正面部１に向かって押すだけでよい。そうすれば、それぞれの衝立部が折畳まれて正面部１に平行になる。図８は、この状態の結合部付近を含む中央部を、図６、図７に準じて示した断面図である。
【実施例２】
【００２４】
以下、図面等を参照して、本発明の実施例２をあげて、さらに詳しく説明する。
図９は、本発明による卓上カードスタンドの実施例２を展開した状態で示す平面図である。
図１０は、図９の卓上カードスタンドを折畳み、正面部１を垂直にして、裏側から見た状態を示す斜視図である。
図１１は、図９の卓上カードスタンドを組立て、卓上などに載せる姿勢にして、裏側から見た状態を示す斜視図である。
【００２５】
実施例２では、図９の展開図に示すように、表示窓１１ａを設けた長方形の正面部１１が横長の状態で、正面部１１の左側の辺（折り目１２ｅと位置が一致する辺）を延長して、側面部１２ｓを介し背面部１２を形成している。
背面部１２は、実施例１と同様に、折畳み状態および組立て状態では、折り目１２ｅ、１２ｆで山折りにされ、正面部１１に対向してカード類の収納スペースを形成する。
凹んだ部分１２ａ、１２ｂは、カード類の出し入れの際に、指先が触れやすくしたものである。
【００２６】
第１衝立部１３は、正面部１１の下側を延長して、側面部１３ｓを介し、その外側に設けられている。
第１衝立部１３は、組立て状態では、側面部１３ｓの上下端部の折り目１３ｅ、１３ｆの位置で山折りにされて脚の一つの主要部となる。
第１衝立部１３には、図１の実施例１と同様に、折り目１３ａ、１３ｂと、支持片挿入孔１３ｃが設けられている。
折り目１３ａ、１３ｂは、図１の折り目３ａ、３ｂに相当し、支持片挿入孔１３ｃは、支持片挿入孔３ｃに相当するので、詳しい説明は省略する。
【００２７】
第２衝立部１４は、正面部１１の上側を延長して、側面部１４ｓを介し、その外側に設けられている。
第２衝立部１４は、組立て状態では、側面１４ｓの上下端部の折り目１４ｆ、１４ｅの位置で山折りにされて脚の他の主要部となる。
第２衝立部１４には、一対のスリット１４ａ、１４ｂと、スリット１４ａ、１４ｂに挟まれている部分を外側に延長して形成した支持片１４ｃが設けられている。
スリット１４ａ、１４ｂは、図１のスリット４ａ、４ｂに相当し、支持片１４ｃは、図１の支持片４ｃに相当するので、詳しい説明は省略する。
【００２８】
図９の展開状態から図１０の折畳み状態にする場合は、図１における図４、図５に準じる状態を経て、第２衝立部４の支持片４ｃ全体を第１衝立部３の支持片挿入孔３ｃに挿入した後、この付近を正面部１１側に押せばよい。
図１０の折畳み状態から図１１に示す組立て状態に移行させる場合は、支持片挿入孔１３ｃ付近の第１衝立部１３の部分に指または爪をかけて引き起こせば、実施例１の場合と同様に、第２衝立部１４も同時に引き起こされ図１１に示す状態となる。
この状態の引き起こされた第１衝立部１３と第２衝立部１４は、図７に示した第１衝立部３と第２衝立部４の関係と同様であるので、相互に姿勢を規制しあって、確実にその状態を維持する。
【００２９】
図１１の組立て状態から図１０の折畳み状態にする場合も、正面部１１を下にして置き、第１衝立部１３と第２衝立部１４の係合部付近を正面部１１に向かって押すだけでよい。
そうすれば、それぞれの衝立部が折畳まれて正面部１１に平行になる。この状態における係合部付近の断面は、図７と同様である。
実施例２のカードスタンドの自立できる姿勢も、図１１に示すような組立て状態の他に、正面部１１の上下を逆さまにした状態で置いても良い。こうすれば、机などの載置面に対し、表示面１１ａの傾斜角度を変えることができる。したがって、一つのカードスタンドで姿勢の異なる二つ以上の展示方法を選択することができる。
【００３０】
（変形例）
以上説明した実施例に限定されることなく、種々の変形や変更が可能であって、それらも本発明の均等の範囲内である。
例えば、正面部と背面部の間、正面部と第１衝立部の間、及び正面部と第２衝立部の間には、収納スペースに挿入するカード類の厚さに応じた幅の側面部が配置されているが、一枚のフォトカード専用のものなどでは、これらの側面部を無くして、背面部、第１衝立部、第２衝立部を、それぞれ正面部に直結しても良い。
その他、カードスタンド各部の形状寸法や、彩色、飾りつけの有無などに工夫を凝らして変形させても良く本発明の主旨に沿うものであれば、そのすべてが含まれる。
【図面の簡単な説明】
【００３１】
【図１】本発明による実施例１を展開した状態で示す平面図である。
【図２】図１の卓上カードスタンドの折畳み状態を裏側から見て示した斜視図である。
【図３】図１の卓上カードスタンドの組立て状態を裏側から見て示した斜視図である。
【図４】図１の状態から背面部を折畳んだときの状況を示す斜視図である。
【図５】図４の状態から図２の状態にする途中経過の状況を示す斜視図である。
【図６】図５の状態の一部を拡大して示す断面図である。
【図７】図３の状態の一部を拡大して示す断面図である。
【図８】図２の状態の一部を拡大して示す断面図である。
【図９】本発明による実施例２を展開した状態で示す平面図である。
【図１０】図９の卓上カードスタンドの折畳み状態を裏側から見て示す斜視図である。
【図１１】図９の卓上カードスタンドの組立て状態を裏側から見て示す斜視図である。
【符号の説明】
【００３２】
１、１１    正面部
１ａ、１１ａ    表示窓
２、１２    背面部
３、１３    第１衝立部
３ａ、３ｂ、１３ａ、１３ｂ    折り目
３ｃ、１３ｃ    支持片挿入孔
４、１４    第２衝立部
４ａ、４ｂ、１４ａ、１４ｂ    スリット
４ｃ、１４ｃ    支持片
【図１】
2006035577.tif 000003
【図２】
2006035577.tif 000004
【図３】
2006035577.tif 000005
【図４】
2006035577.tif 000006
【図５】
2006035577.tif 000007
【図６】
2006035577.tif 000008
【図７】
2006035577.tif 000009
【図８】
2006035577.tif 000010
【図９】
2006035577.tif 000011
【図１０】
2006035577.tif 000012
【図１１】
2006035577.tif 000013